(57)【要約】【課題】主軸受部と副軸受部の摩耗の進行の差を小さくすることにより、信号の記録再生時における初期特性の急速な悪化を低減させることができるディスク装置を提供する。【解決手段】光ピックアップ３の移動方向に対して平行になるようにトラバースベース１０に配置されるとともに、互いに離れた位置において光ピックアップ３を移動自在に支持する主案内軸４及び副案内軸５を備え、副案内軸５は、主案内軸４の軸方向とターンテーブル２の回転軸方向とに直交する方向に、傾斜して配されている。【選択図】図１
2007157224.tif 000002
【特許請求の範囲】
【請求項１】
ディスク状媒体を回転させ、前記ディスク状媒体の情報層に対して信号の授受を行うディスク装置であって、
基台と、
前記基台に配され、前記ディスク状媒体を保持して回転させるターンテーブルと、
前記ディスク状媒体の情報層に対して平行な面内において、前記ディスク状媒体の半径方向に移動自在である光ピックアップと、
前記光ピックアップの移動方向に対して平行になるように前記基台に配置されるとともに、互いに離れた位置において前記光ピックアップを移動自在に支持する第１及び第２の案内軸と、
前記光ピックアップを前記ディスク状媒体の半径方向に移動させる駆動機構とを備え、
前記第２の案内軸は、前記第１の案内軸に対して傾斜して配され、外周面の上下のみで前記光ピックアップを案内することを特徴とするディスク装置。
【請求項２】
ディスク状媒体を回転させ、前記ディスク状媒体の情報層に対して信号の授受を行うディスク装置であって、
基台と、
前記基台に配され、かつ前記ディスク状媒体を保持して回転させるターンテーブルと、
前記ディスク状媒体の情報層に対して平行な範囲内において、前記ディスク状媒体の半径方向に移動自在に配されている光ピックアップと、
前記光ピックアップの移動方向に対して平行になるように前記基台に配置されるとともに、互いに離れた位置において前記光ピックアップを移動自在に支持する第１及び第２の案内軸と、
前記光ピックアップを前記ディスク状媒体の半径方向に移動させる駆動機構とを備え、
前記第２の案内軸は、前記第１の案内軸の軸方向と前記ターンテーブルの回転軸方向とに直交する方向に曲げられた曲げ部を備え、外周面の上下のみで前記光ピックアップを案内することを特徴とするディスク装置。
【請求項３】
前記第２の案内軸は、前記第１の案内軸の軸方向と前記ターンテーブルの回転軸方向とに直交する方向に曲げられた曲げ部を備え、
前記曲げ部から前記ディスク状媒体の内周側の部分のみを、前記第１の案内軸に対して傾斜させている請求項２記載のディスク装置。
【請求項４】
前記曲げ部は、前記第２の案内軸の複数箇所に設けられている請求項２記載のディスク装置。
【請求項５】
前記光ピックアップは、一直線上の２カ所の貫通孔と、前記２カ所の貫通孔と同一直線上にない略Ｕ字溝形状の軸受部とを備え、
前記貫通孔が前記第１の案内軸に支持され、前記軸受部が前記第２の案内軸に支持されている請求項１または２記載のディスク装置。
【請求項６】
前記第１の案内軸を直線軸で構成し、前記第２の案内軸を曲線軸で構成されている請求項２記載のディスク装置。
【請求項７】
前記第２の案内軸を、曲線と直線とで組み合わされた１本の軸で構成されている請求項２記載のディスク装置。
【発明の詳細な説明】
【技術分野】
【０００１】
本発明は、ＣＤやＤＶＤと呼ばれている、コンパクトディスクやビデオディスク等の光ディスクの再生・記録を行うディスク装置に関するものである。
【背景技術】
【０００２】
図７は、従来のディスク装置の概略構成を示す平面図である。図８は、光ピックアップを図７における矢印Ａ方向から見た状態を示す側面図である。
【０００３】
図７、図８において、ディスク装置１は、ターンテーブル２と、光ピックアップ３と、案内軸４及び５と、駆動機構６とから構成されている。
【０００４】
ターンテーブル２は、モータ（図示せず）に連結された支軸２ａに回転可能に支持されるとともに、その主面上に光ディスク７を載置可能な構成になっている。ターンテーブル２上に載置された光ディスク７は、ターンテーブル２とクランパ（図示せず）で挟んで保持される。
【０００５】
光ピックアップ３は、光ディスク７の情報面に光（光軸３ｃ）を照射可能な対物レンズ３ｅが配され、光ディスク７に対して映像や音声などの各種情報信号を記憶したり、光ディスク７に記録されている各種情報信号を読み出したりすることができる。
【０００６】
また、光ピックアップ３は、主案内軸４が挿通されることで光ピックアップ３の一端を移動自在に支持している軸受け部３ａと、案内軸５が係合されることで光ピックアップ３の他端を移動自在に支持している軸受け部３ｂとを備えている。図８に示すように、軸受け部３ａは、略円形の孔で構成されており、主案内軸４が挿通された際に、主案内軸４との間でガタが極力発生しないような内径で構成されている。また、軸受け部３ｂは、略Ｕ字状の溝で構成されており、案内軸５が係合された際に、案内軸５との間で上下方向のガタが極力発生しないような内径（上下方向の内径）で構成されている。
【０００７】
また、光ピックアップ３は、主案内軸４に対して略平行にラック部３ｆを備え、駆動機構６と噛み合うことで、モータ（図示せず）などの駆動源から伝達される駆動力によって光ピックアップ３をディスク７の半径方向（矢印ＢまたはＣ方向）に移動させることができる。
【０００８】
主案内軸４は、光ピックアップ３の移動方向（矢印ＢまたはＣ方向）に対して平行に配されるとともに、光ピックアップ３を移動自在に支持している。また、主案内軸４の端部４ａ及び４ｂは、主案内軸４が光ピックアップ３の移動方向（矢印ＢまたはＣ方向）に対して平行になるように、それぞれトラバースベース１０に固定されている。本構成では、主案内軸４は、円筒形状としているが、少なくとも光ピックアップ３を移動自在に案内支持することができれば、他の形状もよい。
【０００９】
案内軸５は、光ピックアップ３の移動方向（矢印ＢまたはＣ方向）に対して平行に配されるとともに、光ピックアップ３を移動自在に支持している。また、案内軸５の端部５ａ及び５ｂは、案内軸５が光ピックアップ３の移動方向（矢印ＢまたはＣ方向）に対して平行になるように、それぞれトラバースベース１０に固定されている。本構成では、案内軸５は、円筒形状としているが、少なくとも光ピックアップ３を移動自在に案内支持することができれば、他の形状もよい。
【００１０】
互いに平行な２本の案内軸４，５において、１本は、主案内軸４と呼ばれ、光ピックアップにその走査方向の２カ所に設けられた貫通穴形状の軸受け部３ａ（以後、主軸受け部）と係合し、他の１本は副案内軸５と呼ばれ、光ピックアップ３の１カ所に設けられたＵ字溝形状の軸受け部３ｂ（以後、副軸受け部）と係合し、副案内軸５と副軸受け部３ｂとの摺動部は３ｄとなり、２本の案内軸４，５によって光ピックアップ３は支持・案内される。
【００１１】
駆動機構６は、モータ（図示せず）などの駆動源から伝達される駆動力を、光ピックアップ３のラック部３ｆに伝達している。なお、駆動機構６は、図７には１つのギアのみ記載しているが、実際は複数のギアなどで構成されており、図示を省略した。
【００１２】
トラバースベース１０は、主面上に凹部や孔部で構成される開口部１０ａが形成され、開口部１０ａ内にターンテーブル２や光ピックアップ３などが配置される。図示しないが、トラバースベース１０は、シャーシに固定されているか、シャーシに対して移動または回動自在に支持されている。
【００１３】
なお、ターンテーブル２と光ピックアップ３は、光ディスク７の記録面７ａと光ピックアップ３の光軸３ｃとが直交するように配置されている。
【００１４】
以下、動作について説明する。
【００１５】
ディスク装置１に装着された光ディスク７は、その中心付近がターンテーブル２に保持されており、ターンテーブル２が矢印Ｄ方向へ回転することで、光ディスク７も矢印Ｄ方向へ回転される。
【００１６】
光ディスク７の情報面に対してアクセスする場合は、モータなどの駆動源からの駆動力を、駆動機構６に伝達させる。駆動機構６は、光ピックアップ３のラック部３ｆに噛み合っているため、駆動機構６が図中の時計方向へ回転されると光ピックアップ３は矢印Ｂ方向へ移動し、駆動機構６が図中の反時計方向へ回転されると光ピックアップ３は矢印Ｃ方向へ移動する。なお、光ピックアップ３は、案内軸４及び５に案内されて、ディスク７の半径方向へ移動する（例えば、特許文献１参照）。
【特許文献１】特開２００４−１８５７７１号公報
【発明の開示】
【発明が解決しようとする課題】
【００１７】
しかしながら上記従来の構成では、光ピックアップ３が光ディスク７の半径方向に移動される際、軸受部と案内軸との摺動による摩擦によって、軸受部の内壁が摩耗してしまう可能性がある。特に、副軸受部３ｄと副案内軸５との摺動部分は、接触面積が小さいため圧力が集中し、副軸受部３ｄの内壁の摩耗が著しい。
【００１８】
すなわち、摺動による軸受部の摩耗は、円孔と円筒軸の組み合わせ（つまり面接触）でかつ主案内軸４上に２カ所設けられた主軸受部３ａに比べ、Ｕ字溝形状と円筒軸との組み合わせ（つまり線接触）でかつ副案内軸５上に１カ所設けられた副軸受部３ｂの方が、進行が早い。
【００１９】
副軸受部３ｂにおいて摩耗が進むと、図９に示すように、副案内軸５が副軸受部３ｂの内壁に埋没し、光ピックアップ３が主案内軸４を中心に傾いてしまう。図９において、主案内軸４と副案内軸５の中心を結ぶ線１１ａ（光ピックアップ３の正規位置）に対して、主軸受部３ａと副軸受部３ｂの中心を結ぶ線１１ｂが、ｔ１分傾く。
【００２０】
光ピックアップ３が傾くと、光ピックアップ３の光軸３ｃが、正規位置の光軸３ｓに対して光ディスク７の円周方向に同様にｔ１分傾いてしまう。よって、ディスク装置による信号の記録再生時における初期特性が悪化してしまうという問題が発生する。
【００２１】
本発明は、上記問題点に鑑み、主軸受部と副軸受部の摩耗の進行の差を小さくすることにより、信号の記録再生時における初期特性の急速な悪化を低減させることができるディスク装置を提供することを目的とする。
【課題を解決するための手段】
【００２２】
上記課題を解決するために本発明の第１構成のディスク装置は、ディスク状媒体を回転させ、前記ディスク状媒体の情報層に対して信号の授受を行うディスク装置であって、基台と、前記基台に配され、前記ディスク状媒体を保持して回転させるターンテーブルと、前記ディスク状媒体の情報層に対して平行な面内において、前記ディスク状媒体の半径方向に移動自在である光ピックアップと、前記光ピックアップの移動方向に対して平行になるように前記基台に配置されるとともに、互いに離れた位置において前記光ピックアップを移動自在に支持する第１及び第２の案内軸と、前記光ピックアップを前記ディスク状媒体の半径方向に移動させる駆動機構とを備え、前記第２の案内軸は、前記第１の案内軸に対して傾斜して配され、外周面の上下のみで前記光ピックアップを案内する。
【００２３】
また、本発明の第２構成のディスク装置は、ディスク状媒体を回転させ、前記ディスク状媒体の情報層に対して信号の授受を行うディスク装置であって、基台と、前記基台に配され、かつ前記ディスク状媒体を保持して回転させるターンテーブルと、前記ディスク状媒体の情報層に対して平行な範囲内において、前記ディスク状媒体の半径方向に移動自在に配されている光ピックアップと、前記光ピックアップの移動方向に対して平行になるように前記基台に配置されるとともに、互いに離れた位置において前記光ピックアップを移動自在に支持する第１及び第２の案内軸と、前記光ピックアップを前記ディスク状媒体の半径方向に移動させる駆動機構とを備え、前記第２の案内軸は、前記第１の案内軸の軸方向と前記ターンテーブルの回転軸方向とに直交する方向に曲げられた曲げ部を備え、外周面の上下のみで前記光ピックアップを案内する。
【発明の効果】
【００２４】
本発明のディスク装置によれば、光ピックアップの移動時、一方の軸受部における摩耗を遅くすることができる。よって、光ディスクの記録面と光ピックアップの光軸の傾斜変化を小さくし、使用時間とともに進行する初期特性の悪化を遅らせることができる。
【発明を実施するための最良の形態】
【００２５】
本発明の第２構成のディスク装置において、前記第２の案内軸は、前記第１の案内軸の軸方向と前記ターンテーブルの回転軸方向とに直交する方向に曲げられた曲げ部を備え、前記曲げ部から前記ディスク状媒体の内周側の部分のみを、前記第１の案内軸に対して傾斜させている構成としてもよい。
【００２６】
また、第２構成のディスク装置において、前記曲げ部は、前記第２の案内軸の複数箇所に設けられている構成としてもよい。
【００２７】
また、第１または第２構成のディスク装置において、前記光ピックアップは、一直線上の２カ所の貫通孔と、前記２カ所の貫通孔と同一直線上にない略Ｕ字溝形状の軸受部とを備え、前記貫通孔が前記第１の案内軸に支持され、前記軸受部が前記第２の案内軸に支持されている構成としてもよい。
【００２８】
また、第１及び第２構成のディスク装置において、前記第１の案内軸を直線軸で構成し、前記第２の案内軸を曲線軸で構成されている構成としてもよい。
【００２９】
また、第１及び第２構成のディスク装置において、前記第２の案内軸を、曲線と直線とで組み合わされた１本の軸で構成されている構成としてもよい。
【００３０】
（実施の形態１）
図１は、実施の形態１におけるディスク装置の概略構成を示す平面図である。図２は、光ピックアップを図１における矢印Ａ方向から見た状態を示す側面図である。
【００３１】
図１及び図２において、ディスク装置を構成するトラバースベース（基台）１０上には、ターンテーブル２と、光ピックアップ３と、案内軸４及び５と、駆動機構６とを備えている。
【００３２】
ターンテーブル２は、モータ（図示せず）に連結された支軸２ａに回転可能に支持されるとともに、その主面上に光ディスク７を載置可能な構成になっている。ターンテーブル２上に載置された光ディスク７は、ターンテーブル２とクランパ（図示せず）で挟んで保持される。
【００３３】
光ピックアップ３は、光ディスク７の情報面に光（光軸３ｃ）を照射可能な対物レンズ３ｅが配され、光ディスク７に対して映像や音声などの各種情報信号を記憶したり、光ディスク７に記録されている各種情報信号を読み出したりすることができる。
【００３４】
また、光ピックアップ３は、主案内軸４が挿通されることで光ピックアップ３の一端を移動自在に支持している主軸受部３ａと、副案内軸５が摺動可能に係合されることで光ピックアップ３の他端を移動自在に支持している副軸受部３ｂとを備えている。図２に示すように、主軸受部３ａは、略円形の孔で構成されており、主案内軸４が挿通された際に、主案内軸４との間でガタが極力発生しないような内径で構成されている。また、副軸受部３ｂは、略Ｕ字状の溝で構成されており、副案内軸５が係合された際に、副案内軸５との間で上下方向のガタが極力発生しないような内径（上下方向の内径）で構成されている。すなわち、光ピックアップ３が移動する時、主案内軸４と主軸受部３ａとは互いに摺動し、副案内軸５と副軸受部３ｂとは互いに摺動する。
【００３５】
また、光ピックアップ３は、主案内軸４に対して略平行にラック部３ｆを備え、駆動機構６と噛み合うことで、モータ（図示せず）などの駆動源から伝達される駆動力によって光ピックアップ３をディスク７の半径方向（矢印ＢまたはＣ方向）に移動させることができる。
【００３６】
主案内軸４（第１の案内軸）は、光ピックアップ３の移動方向（矢印ＢまたはＣ方向）に対して平行に配されるとともに、光ピックアップ３を移動自在に支持している。また、主案内軸４の端部４ａ及び４ｂは、それぞれトラバースベース１０に固定されている。本構成では、主案内軸４は、円筒形状としているが、少なくとも光ピックアップ３を移動自在に案内支持することができれば、他の形状もよい。
【００３７】
副案内軸５（第２の案内軸）は、図１に示すように、光ピックアップ３の移動方向（矢印ＢまたはＣ方向）または主案内軸４に対して、水平方向に傾斜させて配されている。このように配置することで、光ピックアップ３が矢印ＢまたはＣ方向へ移動する際に、副案内軸５と副軸受部３ｂとの摺動部分を、図２に示す摺動部３ｄの範囲で変位させることができる。よって、副軸受部３ｂにおいて、摺動による圧力が１カ所に集中せず、偏摩耗を防ぐことができる。
【００３８】
また、副案内軸５の傾斜角度は、光ピックアップ３がディスク７の最内周（図１におけるターンテーブル２に最接近した位置）に移動する時に移動動作を妨げず、かつ、光ピックアップ３がディスク７の最外周に移動する時に、副案内軸５と副軸受部３ｂとが離脱しないような角度に設定されている。すなわち、副案内軸５の傾斜角度が大きすぎると、光ピックアップ３がディスク内周方向へ移動する際に、副軸受部３ｂのＵ字底部と副案内軸５とが当接してスムーズな移動ができず、また、光ピックアップ３がディスク外周方向へ移動する際に、副案内軸５と副軸受部３ｂとが離脱してしまう可能性がある。なお、本構成では、副案内軸５は、円筒形状としているが、少なくとも光ピックアップ３を移動自在に案内支持することができれば、他の形状もよい。
【００３９】
また、副案内軸５は、長手方向の両端である端部５ａ及び５ｂが、トラバースベース１０に固定されている。前述したように、副案内軸５は主案内軸４に対して水平方向に傾斜させて配置されているため、端部５ａ及び５ｂは、図２に示すように水平方向にずれた位置にある。
【００４０】
駆動機構６は、モータ（図示せず）などの駆動源から伝達される駆動力を、光ピックアップ３のラック部３ｆに伝達している。なお、駆動機構６は、図１には１つのギアのみ記載しているが、実際は複数のギアなどで構成されており、図示を省略した。
【００４１】
トラバースベース１０は、主面上に凹部や孔部で構成される開口部１０ａが形成され、開口部１０ａ内にターンテーブル２や光ピックアップ３などが配置される。図示しないが、トラバースベース１０は、シャーシに固定されているか、シャーシに対して移動または回動自在に支持されている。
【００４２】
なお、ターンテーブル２と光ピックアップ３は、光ディスク７の記録面７ａと光ピックアップ３の光軸３ｃとが直交するように配置されている。
【００４３】
以下、動作について説明する。
【００４４】
ディスク装置１に装着された光ディスク７は、その中心付近がターンテーブル２に保持されており、ターンテーブル２が矢印Ｄ方向へ回転することで、光ディスク７も矢印Ｄ方向へ回転される。
【００４５】
光ディスク７の情報面に対してアクセスする場合は、モータなどの駆動源からの駆動力を、駆動機構６に伝達させる。駆動機構６は、光ピックアップ３のラック部３ｆに噛み合っているため、駆動機構６が図中の時計方向へ回転されると光ピックアップ３は矢印Ｂ方向へ移動し、駆動機構６が図中の反時計方向へ回転されると光ピックアップ３は矢印Ｃ方向へ移動する。なお、光ピックアップ３は、主案内軸４及び副案内軸５に案内されて、ディスク７の半径方向へ移動される。
【００４６】
次に、副案内軸５における摺動動作について詳述する。
【００４７】
図１に示すように、副案内軸５を主案内軸４に対して水平方向に傾けることにより、副軸受部３ｂにおける副案内軸５との摺動部分が、光ピックアップ３が光ディスク７の半径方向に移動するのに伴って、所定の範囲（摺動部３ｄで示す範囲）で変位する。
【００４８】
通常、移動体と固定体との摺動による摩耗は、移動体の移動範囲おいて、摺動部分が同一点に集中するよりも、摺動部分が移動体の移動方向とは異なる方向へ変動する方が摩耗しにくい。前記のようなディスク装置では、光ピックアップ３（移動体）の副軸受部３ｂにおける副案内軸５（固定体）との摺動部分が、光ピックアップ３の移動動作に伴って、摺動部３ｄで示す範囲で変動させていることにより、摺動による偏摩耗を防ぎ、副軸受部３ｂの摩耗の進行を遅らせることができる。
【００４９】
よって、主軸受部３ａとの摩耗量の差を少なくし、光ディスク７の記録面７ａと光ピックアップ３の光軸３ｃとの傾きの変化を減少させ、使用時間とともに進行する初期特性の悪化を遅らせることができる。
【００５０】
なお、図１に示す構成では、副案内軸５は、ターンテーブル２に近い側（ディスク内周側）が主案内軸４に近づく方向に傾斜させて配されているが、ターンテーブル２に遠い側（ディスク外周側）が主案内軸４に近づく方向に傾斜させて配されるよう構成してもよい。
【００５１】
（実施の形態２）
図３及び図４は、実施の形態２におけるディスク装置の構成を示す平面図である。
【００５２】
図３、図４において、図１と同じ構成については同じ符号を付与し、その説明は省略する。
【００５３】
図３に示す副案内軸５は、ターンテーブル２（すなわち、ディスク７の内周）に近づくにつれて、主案内軸４に対する水平方向の傾斜角が大きくなるように構成されている。
【００５４】
前述の実施の形態１の構成では、小径ディスクの使用が多く、光ピックアップ３のディスク半径方向の走査範囲が光ディスク７の内周に偏っている場合、副案内軸５と副軸受部３ｂの摺動範囲は図２における摺動部３ｄで示す領域の約半分となる。よって、図４に示す摺動部３ｄの領域に対して約半分の領域において、摩耗が集中してしまう。
【００５５】
実施の形態２の構成では、図３に示すように、主案内軸４に対する副案内軸５の傾きを、光ディスク７の内周部において外周部よりも大きくなる曲線で構成されている。よって、光ピックアップ３のディスク半径方向の走査範囲が光ディスク７の内周に偏っていたとしても、光ディスク内周走査時の副案内軸５と副軸受部３ｂの摺動範囲は、図２における摺動部３ｄで示す領域となり、副軸受部３ｂの偏摩耗を低減させることができる。
【００５６】
以上のように本実施の形態によれば、副案内軸５の水平方向の傾斜角度を、ディスク７の外周部よりも内周部近傍において大きくしたことにより、光ピックアップ３のディスク半径方向の走査範囲が光ディスク７の内周に偏っている場合でも、副軸受部３ｂの偏摩耗を低減させることができる。特に、例えば直径８ｃｍのディスクなどの、小径ディスクをメインに使用するディスク装置に有用である。
【００５７】
なお、図３においては、副案内軸５を、ディスク内周に近づくにつれて傾斜角度が大きくなるように構成したが、ディスク外周に近づくにつれて傾斜角度が大きくなるように構成してもよい。その構成を図４に示す。
【００５８】
図４は、光ピックアップ３の光ディスク７の半径方向の走査範囲が外周に偏っている場合の副案内軸５の形状を示し、主案内軸に対する副案内軸５の傾きは光ディスク７の外周部分が内周部よりも大きくなる曲線で構成されている。
【００５９】
また、図３及び図４において、副案内軸５は曲線で構成したが、複数の直線を所定角度を持って組み合わせで構成してもよい。例えば、略「く」の字型で構成してもよい。
【００６０】
また、図５に示すように、副案内軸５のディスク内周近傍と外周近傍における傾斜角度を、内周近傍と外周近傍の間である中央部５１における傾斜角度よりも、大きく構成してもよい。このように構成することで、光ピックアップ３の光ディスク７の半径方向の走査範囲が、ディスク７の内周付近および外周付近に偏っている場合に、副軸受部３ｂの偏摩耗を低減させることができる。
【００６１】
また、図６に示すように、副案内軸５のディスク内周近傍と外周近傍における傾斜角度を、内周近傍と外周近傍の間である中央部５１における傾斜角度よりも、小さく構成してもよい。このように構成することで、光ピックアップ３の光ディスク７の半径方向の走査範囲が、ディスク７の中央部５１付近に偏っている場合に、副軸受部３ｂの偏摩耗を低減させることができる。
【産業上の利用可能性】
【００６２】
本発明のディスク装置は、光ピックアップを例えばディスク半径方向へ移動させる機構を搭載しているディスク装置に有用である。
【図面の簡単な説明】
【００６３】
【図１】本発明の実施の形態１におけるディスク装置の構成を示す平面図
【図２】実施の形態１における光ピックアップの構成を示す側面図
【図３】実施の形態２におけるディスク装置の構成を示す平面図
【図４】実施の形態２におけるディスク装置の構成を示す平面図
【図５】実施の形態２におけるディスク装置の構成を示す平面図
【図６】実施の形態２におけるディスク装置の構成を示す平面図
【図７】従来のディスク装置の構成を示す平面図
【図８】従来のディスク装置の構成を示す側面図
【図９】従来のディスク装置の構成を示す側面図
【符号の説明】
【００６４】
１  ディスク装置
２  ターンテーブル
３  光ピックアップ
３ａ  主軸受部
３ｂ  副軸受部
３ｃ  光軸
３ｄ  摺動部
３ｅ  対物レンズ
３ｆ  ラック部
４  主案内軸
４ａ、４ｂ  端部
５  副案内軸
５ａ、５ｂ  端部
６  駆動機構
７  光ディスク
【図１】
2007157224.tif 000003
【図２】
2007157224.tif 000004
【図３】
2007157224.tif 000005
【図４】
2007157224.tif 000006
【図５】
2007157224.tif 000007
【図６】
2007157224.tif 000008
【図７】
2007157224.tif 000009
【図８】
2007157224.tif 000010
【図９】
2007157224.tif 000011